(57)【要約】【課題】  照明手段に用いて好適で、ＨＩＤバルブの新たな用途となるＨＩＤ放電灯と、ＨＩＤ放電灯を使用し、自然エネルギーを電源にするのでランニングコストを大幅に節減することができる点灯システムを提供する。【解決手段】  放電灯を構成するケーシング１は、アルミダイカスト製で、開口部２Ａを有するケーシング本体２と、開口部２Ａを覆うガラス製又はアクリル樹脂製の透明カバー３とから構成してあり、内部は防水性を有している。透明カバー３に対面してケーシング本体２内に設けた基板５に、Ｌ型の支持片７を介してＨＩＤバルブ６が搭載してある。基板５にはＨＩＤバルブ６に電気的に接続してバラスト７、８が搭載してあり、バラスト８、９は太陽光発電又は風力発電の電源に接続してある。【選択図】  図１
0003118063.tif 000002
【実用新案登録請求の範囲】
【請求項１】
ケーシング本体の開口部を透明カバーで覆って構成したケーシングと、前記透明カバーに対面して前記ケーシング本体内に設けた基板に搭載したＨＩＤバルブと、該ＨＩＤバルブに電気的に接続したバラストと、該バラストに給電する電源とから構成してなるＨＩＤ放電灯。
【請求項２】
前記ケーシングは、防水性を有することを特徴とする請求項１記載のＨＩＤ放電灯。
【請求項３】
前記バラストは、前記ケーシング本体の基盤に搭載してあることを特徴とする請求項１記載のＨＩＤ放電灯。
【請求項４】
請求項１記載のＨＩＤ放電灯の電源を太陽光発電及び／又は風力発電方法とし、該発電方法により得た直流電力はチャージコントローラを介して一旦バッテリーに蓄電し、該バッテリーからタイマー、変換器を介して前記ＨＩＤ放電灯に給電することにより点灯するようにしたＨＩＤ放電灯の点灯システム。
【考案の詳細な説明】
【技術分野】
【０００１】
本考案は、街路灯、防犯灯、屋外照明灯、庭園灯等に用いて好適なＨＩＤ放電灯及びその点灯システムに関する。
【背景技術】
【０００２】
従来のＨＩＤランプを用いた照明器具は点灯方式として、交流波出力方式が主流であり、直流出力方式のＨＩＤ照明器具は例えば車両用前照灯として用いられている等、未だその用途も限られている（特許文献１）。
【特許文献１】特開２００４−５０８７６号公報
【考案の開示】
【考案が解決しようとする課題】
【０００３】
上述の如く、直流出力方式のＨＩＤ照明器具の用途は限られているという問題がある。また太陽光や風力等の自然エネルギーを、直流から交流に変換することなく利用したＨＩＤ照明器具は提案されていないという未解決の問題点がある。
【０００４】
本考案は上述した従来技術の問題点に鑑みなされたもので、ＨＩＤバルブの新たな用途とそのための点灯システムを提供し、かつ自然エネルギーを電源にするのでランニングコストを大幅に節減することが可能で、従って屋外にある各施設の照明手段に用いて好適であり、災害時に電力供給のライフラインが絶たれた場合でも必要な施設での照明を確保することができる災害対策にも有効であると共に、地球温暖化の防止のためのＣＯ２の削減にも寄与することができるＨＩＤ放電灯及びその点灯システムを提供することを目的とする。
【課題を解決するための手段】
【０００５】
上述した課題を解決するために構成された請求項１に係る本考案の手段は、ケーシング本体の開口部を透明カバーで覆って構成したケーシングと、前記透明カバーに対面して前記ケーシング本体内に設けた基板に搭載したＨＩＤバルブと、該ＨＩＤバルブに電気的に接続したバラストと、該バラストに給電する電源とからなる。
【０００６】
そして、前記ケーシングは、防水性を有する構成にするとよい。
【０００７】
また、前記バラストは、前記ケーシング本体の基盤に搭載して設けるとよい。
【０００８】
更に、請求項４に係る本考案を構成する手段は、請求項１記載のＨＩＤ放電灯の電源を太陽光発電及び／又は風力発電方法とし、該発電方法により得た直流電力はチャージコントローラを介して一旦バッテリーに蓄電し、該バッテリーからタイマー、変換器を介して前記ＨＩＤ放電灯に給電することにより点灯するようにしたことにある。
【考案の効果】
【０００９】
本考案は上述の如く構成したから、下記の諸効果を奏する。
（１）従来自動車用前照灯等に用途が限られていたＨＩＤバルブの新たな用途を提供できる。
（２）太陽光や風力の自然エネルギーを電源にするのでランニングコストを大幅に節減することができる。
（３）太陽光や風力を電源に使用し、また直流から交流に変換しないので、屋外にある各施設の照明手段に用いて好適であり、災害時に電力供給のライフラインが絶たれた場合でも必要な施設での照明を確保することができるので災害対策にも有効である。
（４）自然エネルギーを電源にするので、地球温暖化の防止のためのＣＯ２の削減にも寄与することができる。
【考案を実施するための最良の形態】
【００１０】
以下、本考案の実施の形態を図面に基づき詳述する。図において、１は街路灯を構成するケーシング、２は該ケーシング１を構成するアルミダイカスト製のケーシング本体で、該ケーシング本体２は平面略楕円形で、横断面略凹湾曲状の舟型に形成することにより、一側が開口部２Ａになっている。そして、基端側には支柱に取着するための中空管からなるソケット２Ｂが設けてある。
【００１１】
３は前記ケーシング本体２の開口部２Ａを開閉可能に閉塞する透明カバーを示し、該カバー３は透明の硬質ガラス又はアクリル樹脂等の合成樹脂で舟型に形成してある。
【００１２】
４は該カバー３とケーシング本体２を液密に嵌合するための嵌合口金で、該嵌合口金４は枠状に形成し互いに嵌合する一対の口金部４Ａ、４Ｂ（但し、４Ａは図示せず。）と、該口金部４Ａ、４Ｂの長手方向一端側に設けられ、回動可能に連結する連結部４Ｃと、他端に設けられ、口金部４Ａ、４Ｂを係脱可能に係止する締結部４Ｄとから構成してあり、一側の口金部４Ｃはケーシング本体２の口縁に、他側口金部４Ｂはカバー３の口縁に夫々取着してある。そして、両口金部４Ａ、４Ｂを嵌合して締結部４Ｄを緊締することによりケーシング１内は防水性を有している。
【００１３】
５は上述したケーシング本体２内に透明カバー３に対向して設けた基板、６は該基板５に立設したＬ型の支持片７に取着したＨＩＤバルブで、該ＨＩＤバルブ６は透明カバー３に対向して配設してある。
【００１４】
８、９は前記基板５に搭載した点灯装置である一対のバラストで、該バラスト８、９は配線１０を介して接続し、一方のバラスト８は配線１１を介してＨＩＤバルブ６と接続してある。また、他方のバラスト９は配線１２を介して図示しない電源と接続してある。
【００１５】
次に、図２は本実施の形態の変形例を示す。２１は街路灯を構成する中空管からなる支柱、２２は該支柱２１に設けたケーシングで、該ケーシング２２はケーシング本体２２Ａと、該ケーシング本体２２Ａに嵌合する透明カバー２２Ｂとから構成してある。２３はケーシング本体２２Ａに設けた基板、２４は該基盤２３に設けた支持片２５に設けたＨＩＤバルブで、該ＨＩＤバルブ２４は前記透明カバー２２Ｂに対向して配置してある。
【００１６】
２６、２７は前記ＨＩＤバルブ２４を点灯するためのバラストで、該バラスト２６、２７は前記支柱２１の内部に設けた取付板２８に搭載してある。そして、該バラスと２６、２７は配線１０を解して接続し、配線１１を介してＨＩＤバルブ２４に接続してある。
【００１７】
上述の如く変形例では、バラスト２６、２７をケーシング２２内に設けずに、外部の支柱２１内に設けたことを特徴としている。このように構成することにより、ケーシング２２を容積の小さい小型の形態に形成することが可能であるし、ケーシング２２内でのＨＩＤバルブ２４の配置位置に自由度が得られる。
【００１８】
本実施の形態に係る放電灯は上述の構成からなるが、図３を参照しつつＨＩＤ放電灯を含む電気機器の点灯・消灯を制御する点灯システムＡについて作用と共に説明する。電源となる太陽光発電３１又は風力発電３２（両電源を併用してもよい。）により発電した２４Ｖの直流電力は点灯システムＡの入力端子３３を介して各チャージコントローラ３４、３５に送電され、接続端子３６を介してバッテリー３７、３７、３７に給電されて充電する。蓄電された電力は、リモコン受信部３８、ＤＣタイマー３９、自動点灯式タイマー４０、変換器４１等から出力端子４２を介してＨＩＤ放電灯４３、４３、・・、ＬＥＤ看板４４等の各種電気機器に最適の条件で電力を供給することができる。
【００１９】
そして、上記点灯システムにおいて、リモコン受信部３８にリモコン送信部３８Ａから指令を送り、タイマー３９をＯＮにすると同時に出力端子４２に接続してあるＨＩＤ街路灯４３、ＬＥＤ看板４４を点灯させることができる。
【００２０】
ＨＩＤ街路灯４３及びＬＥＤ看板４４の消灯は、タイマー３９に予め消灯時間又は使用時間を設定しておくことにより、ＯＦＦにすることができる。
【００２１】
また、例えばＬＥＤ看板４４に自動点灯式タイマー４０を接続しておき、屋外が暗くなるとタイマー４０から変換器４１に信号が送られ給電が開始して自動的に点灯し、設定時間の経過により消灯することができる。このようにして、年間を通して毎日同じ点灯、消灯動作を繰り返すことができる。
【００２２】
図４は駐車場の照明設備を、ＨＩＤ放電灯４３等と上述した点灯システムＡを用いて構成した具体例の説明である。
【図面の簡単な説明】
【００２３】
【図１】本考案の実施の形態に係るＨＩＤ放電灯をケーシング本体を断面にして示す構成図である。
【図２】変形例に係るＨＩＤ放電灯の構成図である。
【図３】電源、点灯システム、ＨＩＤ放電灯からなる全体構成の説明図である。
【図４】ＨＩＤ放電灯を駐車場の照明設備に用いた具体例の説明図である。
【符号の説明】
【００２４】
１、２２    ケーシング
２、２２Ａ  ケーシング本体
２Ａ        開口部
３、２２Ｂ  透明カバー
６、２４    ＨＩＤバルブ
８、９、２６、２７    バラスト
３１        太陽光発電
３２        風力発電
Ａ          点灯システム
【図１】
0003118063.tif 000003
【図２】
0003118063.tif 000004
【図３】
0003118063.tif 000005
【図４】
0003118063.tif 000006